【手続補正書】
【提出日】平成29年11月27日(2017.11.27)
【手続補正１】
【補正対象書類名】特許請求の範囲
【補正対象項目名】全文
【補正方法】変更
【補正の内容】
【特許請求の範囲】
【請求項１】
第１の光を発生する光源と、
被検体内の所定の領域に前記第１の光を照射する照射部と、前記第１の光が前記被検体に照射されることにより発生する第１の音響波を検出する音響波検出部とを有する受信部と、
前記受信部が前記被検体の表面の凹形状または凸形状に沿うように前記被検体と前記受信部との相対移動を行いつつ前記第１の光の照射及び前記第１の音響波の検出を行う走査部と、
前記音響波検出部の検出結果に基づいて前記被検体における前記所定の領域の特性情報を取得する取得部と、
を有する被検体情報取得装置。
【請求項２】
前記走査部は前記表面と前記音響波検出部との距離を測定し、その測定結果に基づいて前記相対移動を行う
請求項１に記載の被検体情報取得装置。
【請求項３】
前記音響波検出部は前記走査部が前記距離を測定するときに前記表面に弾性波を送信するとともに送信された前記弾性波が前記表面で反射してなる弾性波を受信し、
前記走査部は前記表面に弾性波が送信されてから前記表面で反射してなる弾性波が受信されるまでの時間に基づいて前記距離を測定する
請求項２に記載の被検体情報取得装置。 
【請求項４】
前記距離を測定する場合に前記表面に弾性波を送信するとともに送信された前記弾性波が前記表面で反射してなる弾性波を受信する距離算出部をさらに有し、
前記走査部は前記表面に弾性波が送信されてから前記表面で反射してなる弾性波が受信されるまでの時間に基づいて前記距離を測定する
請求項２に記載の被検体情報取得装置。 
【請求項５】
前記距離を測定する場合に前記表面に第２の光を照射するとともに前記第２の光が照射されることにより前記表面から発生する第２の音響波を受信する距離算出部をさらに有し、
前記走査部は前記第２の光の照射から前記第２の音響波の受信までの時間に基づいて前記距離を測定する
請求項２に記載の被検体情報取得装置。
【請求項６】
前記受信部が前記被検体に加える圧力を測定する圧力測定部をさらに有し、
前記走査部は測定された前記圧力に基づいて前記距離を測定する
請求項２に記載の被検体情報取得装置。
【請求項７】
前記音響波検出部は音響レンズを有し、
前記音響レンズは前記第１の光が前記被検体に照射されることにより音響焦点領域から発生する音響波を集音する
請求項１乃至６のいずれか１項に記載の被検体情報取得装置。 
【請求項８】
前記所定の領域および前記音響焦点領域の一方は他方に含まれる
請求項７に記載の被検体情報取得装置。
【請求項９】
光を発生する光源と、
前記光を照射する照射部と、前記光が被検体に照射されることにより所定の音響焦点領域から発生する音響波を検出する音響波検出部とを有する受信部と、
前記光の照射及び前記音響波の検出が行われつつ前記受信部が前記被検体の表面の凹形状または凸形状に沿うように前記被検体と前記受信部との相対移動を行う走査部と、
前記音響波検出部の検出結果に基づいて前記被検体における前記音響焦点領域の特性情報を取得する取得部と、
を有する被検体情報取得装置。
【請求項１０】
前記特性情報は画像を形成するための画像データである
請求項１乃至９のいずれか１項に記載の被検体情報取得装置。
【請求項１１】
前記画像データに基づいて画像を表示する表示部をさらに有する
請求項１０に記載の被検体情報取得装置。
【請求項１２】
被検体内の所定の領域に第１の光を照射する照射部と、前記第１の光が前記被検体に照射されることにより発生する第１の音響波を検出する音響波検出部と、を含む受信部を有する被検体情報取得装置が行う被検体情報取得方法であって、
前記受信部が前記被検体の表面の凹形状または凸形状に沿うように前記被検体と前記受信部との相対移動を行いつつ前記第１の光の照射及び前記第１の音響波の検出を行う走査ステップと、
前記音響波の検出結果に基づいて前記被検体における前記所定の領域の特性情報を取得する取得ステップと、
を含む、被検体情報取得方法。
【請求項１３】
前記走査ステップでは、前記表面と前記音響波検出部との距離を測定し、その測定結果に基づいて前記相対移動を行う
請求項１２に記載の被検体情報取得方法。
【請求項１４】
前記音響波検出部は前記走査ステップにて前記距離を測定するときに前記表面に弾性波を送信するとともに送信された前記弾性波が前記表面で反射してなる弾性波を受信し、
前記走査ステップでは前記表面に弾性波が送信されてから前記表面で反射してなる弾性波が受信されるまでの時間に基づいて前記距離を測定する
請求項１３に記載の被検体情報取得方法。 
【請求項１５】
前記距離を測定する場合に前記表面に弾性波を送信するとともに送信された前記弾性波が前記表面で反射してなる弾性波を受信する距離算出ステップをさらに含み、
前記走査ステップでは前記表面に弾性波が送信されてから前記表面で反射してなる弾性波が受信されるまでの時間に基づいて前記距離を測定する
請求項１３に記載の被検体情報取得方法。 
【請求項１６】
前記距離を測定する場合に前記表面に第２の光を照射するとともに前記第２の光が照射されることにより前記表面から発生する第２の音響波を受信する距離算出ステップをさらに含み、
前記走査ステップでは前記第２の光の照射から前記第２の音響波の受信までの時間に基づいて前記距離を測定する
請求項１３に記載の被検体情報取得方法。
【請求項１７】
前記受信部が前記被検体に加える圧力を測定する圧力測定ステップをさらに含み、
前記走査ステップでは測定された前記圧力に基づいて前記距離を測定する
請求項１３に記載の被検体情報取得方法。
【請求項１８】
光を照射する照射部と、前記光が被検体に照射されることにより所定の音響焦点領域から発生する音響波を検出する音響波検出部とを含む受信部と、を有する被検体情報取得装置が行う被検体情報取得方法であって、
前記光の照射及び前記音響波の検出が行われつつ前記受信部が前記被検体の表面の凹形状または凸形状に沿うように前記被検体と前記受信部との相対移動を行う走査ステップと、
前記音響波検出部の検出結果に基づいて前記被検体における前記音響焦点領域の特性情報を取得する取得ステップと、
を含む被検体情報取得方法。
【請求項１９】
前記特性情報は画像を形成するための画像データである
請求項１２乃至１８のいずれか１項に記載の被検体情報取得方法。
【請求項２０】
前記画像データに基づいて画像を表示する表示ステップをさらに含む
請求項１９に記載の被検体情報取得方法。
【手続補正２】
【補正対象書類名】明細書
【補正対象項目名】００１２
【補正方法】変更
【補正の内容】
【００１２】
上記課題を解決するための、本発明に係る被検体情報取得装置は、
第１の光を発生する光源と、被検体内の所定の領域に前記第１の光を照射する照射部と、前記第１の光が前記被検体に照射されることにより発生する第１の音響波を検出する音響波検出部とを有する受信部と、前記受信部が前記被検体の表面の凹形状または凸形状に沿うように前記被検体と前記受信部との相対移動を行いつつ前記第１の光の照射及び前記第１の音響波の検出を行う走査部と、前記音響波検出部の検出結果に基づいて前記被検体における前記所定の領域の特性情報を取得する取得部と、を有することを特徴とする。
また、本発明の別形態に係る被検体情報取得装置は、
光を発生する光源と、前記光を照射する照射部と、前記光が被検体に照射されることにより所定の音響焦点領域から発生する音響波を検出する音響波検出部とを有する受信部と
、前記光の照射及び前記音響波の検出が行われつつ前記受信部が前記被検体の表面の凹形状または凸形状に沿うように前記被検体と前記受信部との相対移動を行う走査部と、前記音響波検出部の検出結果に基づいて前記被検体における前記音響焦点領域の特性情報を取得する取得部と、を有することを特徴とする。
また、本発明に係る被検体情報取得方法は、
被検体内の所定の領域に第１の光を照射する照射部と、前記第１の光が前記被検体に照射されることにより発生する第１の音響波を検出する音響波検出部と、を含む受信部を有する被検体情報取得装置が行う被検体情報取得方法であって、前記受信部が前記被検体の表面の凹形状または凸形状に沿うように前記被検体と前記受信部との相対移動を行いつつ前記第１の光の照射及び前記第１の音響波の検出を行う走査ステップと、前記音響波の検出結果に基づいて前記被検体における前記所定の領域の特性情報を取得する取得ステップと、を含むことを特徴とする。
また、本発明の別形態に係る被検体情報取得方法は、
光を照射する照射部と、前記光が被検体に照射されることにより所定の音響焦点領域から発生する音響波を検出する音響波検出部とを含む受信部と、を有する被検体情報取得装置が行う被検体情報取得方法であって、前記光の照射及び前記音響波の検出が行われつつ前記受信部が前記被検体の表面の凹形状または凸形状に沿うように前記被検体と前記受信部との相対移動を行う走査ステップと、前記音響波検出部の検出結果に基づいて前記被検体における前記音響焦点領域の特性情報を取得する取得ステップと、を含むことを特徴とする。
【手続補正３】
【補正対象書類名】明細書
【補正対象項目名】発明の名称
【補正方法】変更
【補正の内容】
【発明の名称】被検体情報取得装置および被検体情報取得方法